(57)【要約】      （修正有）【課題】２枚の被覆材の間に介在する保冷媒体がシートの使用時に使用者の体位の変化に対しても、流動しないようにし、均一な冷却効果を発揮する快眠シートを提供する。【解決手段】裏面部２にＥＶＡシートを熱高圧プレスにより接合せしめたシーツサイズ、ハーフサイズもしくは枕サイズの大きさの布製被覆材ａを形成し、形成された２枚の前記被覆材ａのＥＶＡシート３同志を対向せしめると共に、前記両被覆材ａの間に保冷媒体ｂと、前記保冷媒体ｂの流動及び偏寄を防止し、且均一に冷却する無数の孔部４付きメッシュ材ｃを介在し、前記被覆材ａの外周囲部を圧着して形成した。【選択図】図１
0003148910.tif 000002
【実用新案登録請求の範囲】
【請求項１】
裏面部にＥＶＡシートを熱高圧プレスにより接合せしめたシーツサイズ、ハーフサイズもしくは枕サイズの大きさの布製被覆材を形成し、形成された２枚の前記被覆材のＥＶＡシート同志を対向せしめると共に、前記両被覆材の間に保冷媒体と、前記保冷媒体の流動及び偏寄を防止し、且均一に冷却する無数の孔部付きメッシュ材を介在し、前記被覆材の外周囲部を圧着せしめ形成することを特徴とする快眠シート。
【請求項２】
前記被覆材は、綿製であることを特徴とする請求項１記載の快眠シート。
【請求項３】
前記メッシュ材は、軽量にして柔軟性があり折畳み可能なポリエステルからなることを特徴とする請求項１又は同２記載の快眠シート。
【請求項４】
前記被覆材は、表面部から汚れもしくは水等の液体を内部に侵入せしめない素材であることを特徴とする請求項１又は同２又は同３記載の快眠シート。
【請求項５】
前記保冷媒体及びメッシュ材を被覆する２枚の被覆材の外周囲部を圧着せしめて前記保冷媒体の流動を阻止すると共に、前記２枚の被覆材の外周縁部にポリエステル資材製のリムを施すことを特徴とする請求項１又は同２又は同３又は同４記載の快眠シート。
【請求項６】
前記被覆材と前記メッシュ材は、偏平な形態とすることを特徴とする請求項１又は同２又は同３又は同４又は同５に記載の快眠シート。
【請求項７】
前記メッシュ材の孔部は、大きさが均一で、且連接していることを特徴とする請求項１又は同２又は同３又は同４又は同５又は同６に記載の快眠シート。
【請求項８】
前記保冷媒体は、ポリアクリル樹脂、グリセリン、水、防カビ剤からなることを特徴とする請求項１又は同２又は同３又は同４又は同５又は同６又は同７に記載の快眠シート。
【考案の詳細な説明】
【技術分野】
【０００１】
本考案は、快眠シートの技術分野に関するものである。
【背景技術】
【０００２】
従来、保冷パッドとして、実用新案登録第３１３８９２３号の登録実用新案公報が開示されているが、保冷パッド１を構成する外装体１４、１４の間に介在するジェルを含む保冷媒体５の流動を規制する内部領域の部分圧着部６、７、８、９、１０、１１、１２、１３は、前記外装体１４、１４の裏地４同志を高周波加熱により部分圧着をするもので、該圧着部分にはジェルを含む保冷媒体５が全く存在しない形態となっている。
【０００３】
そのため、シーツもしくは枕用の保冷パッドとして使用したとしても、十分な冷却効果を発揮することができないことが明らかである。
【０００４】
さらに、従来の保冷パッドは、前記２枚の外装体５の圧着部分を高周波加熱により部分圧着をするので、整理整頓時に部分圧着をした圧着部が邪魔をして外装体を容易に丸めることができにくかった。
【０００５】
そのため、保冷パッドが不要となる季節における整理整頓を阻害するおそれがあった。
【０００６】
また従来の保冷パッドは、不要な季節における整理整頓時において丸めると、前記外装体５を圧着した部分的な圧着部分が剥離するおそれがあり、仮にも部分圧着部が剥離しようものならば、内蔵されている保冷媒体５が流動し、前記保冷媒体５の厚さの均一を欠き、そのため均一な効果を発揮できないおそれがあった。
【特許文献１】実用新案登録第３１３８９２３号登録実用新案公報
【考案の開示】
【考案が解決しようとする課題】
【０００７】
従来開示の実用新案登録第３１３８９２３号登録実用新案公報の保冷パッドは、２枚の外装体１４の間に介在せしめるジェルを含む保冷媒体５による均一な冷却効果を発揮せしめるために、前記２枚の外装体１４の一部分を高周波加熱により部分圧着を施していた。前記のような外装体１４の一部分に部分圧着がなされると、前記外装体１４の間に介在する保冷媒体５が全く存在しない部分が発生し保冷パッド全体を均一に保冷することができないおそれがある。
【０００８】
さらに従来開示の前記実用新案公報の保冷パッドは、不要な季節等の到来等によって整理整頓をするため丸めたりすると、内蔵している保冷媒体５の流動を阻止する部分圧着を施した個所が、丸め込まれた保冷パッドに外部から強く押圧されると、離脱するおそれがある。そのため再度の使用時には、内蔵されているジェルを含む保冷媒体５が流動し、且偏寄したまま使用しなければならなくなるおそれがあった。
【０００９】
しかるに、本考案の快眠シートは、２枚の被覆材の間に介在する保冷媒体がシートの使用時に使用者の体位の変化に対しても、流動しないようにするために、メッシュ材を介在せしめ、無数の孔部内に保冷媒体が挿入し、均一な冷却効果を発揮せしめるようにした。
【００１０】
さらに、従来開示の保冷パッドは、２枚の外装体１４の間に介在する保冷媒体５を高周波過熱による部分圧着を施して流動するのを阻止する形態であったのに対し、本考案は孔付きメッシュ材を内蔵して保冷媒体の流動を阻止し、不要となって丸め込むようなことがあっても、丸め作業がスムーズで、整理整頓を極めて容易にした。
【課題を解決するための手段】
【００１１】
課題を解決するための手段としての請求項１記載の考案は、裏面部２にＥＶＡシートを熱高圧プレスにより接合せしめたシーツサイズ、ハーフサイズもしくは枕サイズの大きさの布製被覆材ａを形成し、形成された２枚の前記被覆材ａのＥＶＡシート３同志を対向せしめると共に、前記両被覆材ａの間に保冷媒体ｂと、前記保冷媒体ｂの流動及び偏寄を防止し、且均一に冷却する無数の孔部４付きメッシュ材ｃを介在し、前記被覆材ａ、ａの外周囲部５を圧着せしめ形成する快眠シートである。
【００１２】
課題を解決するための手段としての請求項２記載の考案は、前記被覆材ａは、綿製である快眠シートである。
【００１３】
課題を解決するための手段としての請求項３記載の考案は、前記メッシュ材ｃは、軽量にして柔軟性があり折畳み可能なポリエステルからなる快眠シートである。
【００１４】
課題を解決するための手段としての請求項４記載の考案は、前記被覆材ａは、表面部１から汚れもしくは水等の液体を内部に侵入せしめない素材である快眠シートである。
【００１５】
課題を解決するための手段としての請求項５記載の考案は、前記保冷媒体ｂ及びメッシュ材ｃを被覆する２枚の被覆材ａの外周囲部５を圧着せしめて前記保冷媒体ｂの流動を阻止すると共に、前記２枚の被覆材ａの外周縁部６にポリエステル資材製のリム７を施す快眠シートである。
【００１６】
課題を解決するための手段としての請求項６記載の考案は、前記被覆材ａと前記メッシュ材ｃは、偏平な形態とする快眠シートである。
【００１７】
課題を解決するための手段としての請求項７記載の考案は、前記メッシュ材ｃの孔部４は、大きさが均一で、且連接している快眠シートである。
【００１８】
課題を解決するための手段としての請求項８記載の考案は、前記保冷媒体ｂは、ポリアクリル樹脂、グリセリン、水、防カビ剤からなる快眠シートである。
【考案の効果】
【００１９】
請求項１記載の考案は、裏面部にＥＶＡシートを熱高圧プレスにより接合せしめたシーツサイズ、ハーフサイズもしくは枕サイズの大きさの布製被覆材を形成し、形成された２枚の前記被覆材のＥＶＡシート同志を対向せしめると共に、前記両被覆材の間に保冷媒体と、前記保冷媒体の流動及び偏寄を防止し、且均一に冷却する無数の孔部付きメッシュ材を介在し、前記被覆材の外周囲部を圧着せしめ形成する快眠シートなので、ポリエステル資材製孔付きメッシュ材の上方に載置する保冷媒体が、前記メッシュ材の無数の孔部内に均一に挿入し且保冷媒体の厚さを均一に確保し、使用者の体重が加わっても、前記保冷媒体の流動が阻止され長時間均一に保冷効果が発揮できる利点を有している。
【００２０】
そのため、本考案の快眠シートは、製品寿命を長期にわたり確保できる。
【００２１】
さらに、本考案の快眠シートは、前記保冷媒体が前記孔部付きメッシュ材の無数の孔部内に均一に挿入して流動が阻止されているので、不要時に丸めたりしても、所望する状態に丸め込める。
【００２２】
そのため、本考案の快眠シートは、収納時の整理整頓が極めて容易で、且空間占有率も小となる利点がある。
【００２３】
請求項２記載の考案は、前記被覆材は、綿製である快眠シートなので、前記請求項１記載の考案と同じ効果を有している。
【００２４】
請求項３記載の考案は、前記メッシュ材は、軽量にして柔軟性があり折畳み可能なポリエステルからなる快眠シートなので、前記請求項１又は同２記載の考案と同じ効果を有している。
【００２５】
請求項４記載の考案は、前記被覆材は、表面部から汚れもしくは水等の液体を内部に侵入せしめない素材である快眠シートなので、前記請求項１又は同２又は同３記載の考案と同じ効果を有している。
【００２６】
請求項５記載の考案は、前記保冷媒体及びメッシュ材を被覆する２枚の被覆材の外周囲部を圧着せしめて前記保冷媒体の流動を阻止すると共に、前記２枚の被覆材の外周縁部にポリエステル資材製のリムを施す快眠シートなので、前記請求項１又は同２又は同３又は同４記載の考案と同じ効果を有している。
【００２７】
請求項６記載の考案は、前記被覆材と前記メッシュ材は、偏平な形態とする快眠シートなので、前記請求項１又は同２又は同３又は同４又は同５に記載の考案と同じ効果を有している。
【００２８】
請求項７記載の考案は、前記メッシュ材の孔部は大きさが均一で、且連接している快眠シートなので、前記請求項１又は同２又は同３又は同４又は同５又は同６に記載の考案と同じ効果を有している。
【００２９】
請求項８記載の考案は、前記保冷媒体は、ポリアクリル樹脂、グリセリン、水、防微カビ剤からなる快眠シートなので、前記請求項１又は同２又は同３又は同４又は同５又は同６又は同７に記載の考案と同じ効果を有している。
【考案を実施するための最良の形態】
【００３０】
本考案の請求項１〜８記載の考案に関する実施形態は、共通しているので以下のとおり一括して説明する。
【００３１】
本考案の快眠シートは、通常シーツサイズ、もしくはハーフサイズもしくは枕サイズとする。
【００３２】
１０はシーツサイズの快眠シート、２０はハーフサイズの快眠シート、３０は枕サイズの快眠シートである。
【００３３】
本考案の快眠シートの構成は、布製被覆材ａと、保冷媒体ｂと無数の孔部４を有するメッシュ材ｃとリム７とを組み合せた構成であり、以下夫々の構成部材を具体的に説明する。
【００３４】
第１に布製被覆材ａについて説明する。
【００３５】
この被覆材ａの大きさは、前記した各寸法のシート１０、２０、３０である。
【００３６】
前記被覆材ａは、布製にして、その裏面部２にＥＶＡシート３を糊を使用することなく熱高圧プレスにより接合されている。そのため保冷媒体ｂの蒸発率が極めて少ないので、長期間保冷媒体ｂを保持できる。
【００３７】
さらに前記布製被覆材ａは、その裏面部２にＥＶＡシート３が熱高圧プレスにより接合されているので、その表面部１から、人体の汚れた汗や水等が内部に浸入しない。
【００３８】
従って、前記布製被覆材ａは水かけ洗滌も可能なので、手入れが楽で、しかも衛生上安全である。
【００３９】
さらに、前記被覆材ａは、布製でも上質の生地が使用されており、常に身体にとって気持良く安全である。
【００４０】
第２に保冷媒体ｂについて説明する。
【００４１】
この保冷媒体ｂは、中剤（ジェル）と称され、本考案の場合その実施例として、ポリアクリル樹脂１５％、グリセリン２５％、水５９．９％、防カビ剤（ＧＰＬ）０．１％を使用している。
【００４２】
第３にメッシュ材ｃについて説明する。
【００４３】
前記メッシュ材ｃは、軽量にして、薄く柔軟性があり、折畳み可能なポリエステル系繊維製である。そして孔部４の径は均一にして、且連接状態に無数形成されている。
【００４４】
前記の各構成部剤の中、一枚の被覆材ａをＥＶＡシート３を上向きにして敷き、その上に、前記メッシュ材ｃを前記メッシュ材ｃの上に所定の厚さにした中剤である保冷媒体ｂを、さらに前記保冷媒体ｂの上に他の被覆材ａをＥＶＡシート３を下向きにして重ねる。
【００４５】
その結果重合された２枚の被覆材ａの外周囲部５を圧着せしめる。その際両被覆材ａ、ａの裏面部２、２のＥＶＡシート３、３同志が高周波加熱により溶着される。前記溶着によって、前記保冷媒体ｂが外部に流出しない。
【００４６】
前記のようにして被覆材ａ、ａの外周囲部５が溶着されたら、前記両被覆材ａ、ａの外周縁部６にポリエステル１００％の縁取りとしてのリム７を施してやる。
【００４７】
本考案の快眠シートは前記のような手法によって形成される。
【００４８】
そして前記快眠シートをベットの布団上に載せたり、或いは枕に巻いたりすると、使用者の体重もしくは頭部によって前記メッシュ材ｃが押圧されて柔軟な前記保冷媒体ｂ内に若干食込まれる。
【００４９】
そして前記メッシュ材ｃの無数の孔部４内に前記保冷媒体ｂが挿入し保冷媒体ｂの流動が阻止される。そのため使用者の体位に変化があっても、前記保冷媒体ｂは前記メッシュ材ｃによって流動しない。従って内蔵中の保冷媒体ｂが流動し偏寄しないので、人体の保冷効果を均一に確保できる。
【図面の簡単な説明】
【００５０】
【図１】本考案快眠シートの分解斜視図である。
【００５１】
【図２】同快眠シートの一部切欠拡大縦断面図である。
【００５２】
【図３】同シートの構成部材であるメッシュ材の斜視図である。
【００５３】
【図４】同シーツサイズ快眠シートの斜視図である。
【００５４】
【図５】同ハーフサイズ快眠シートの斜視図である。
【００５５】
【図６】同枕サイズ快眠シートの斜視図である。
【符号の説明】
【００５６】
ａ        被覆材
ｂ        保冷媒体
ｃ        メッシュ材
１        表面部
２        裏面部
３        ＥＶＡシート
４        孔部
５        外周囲部
６        外周縁部
７        リム
１０      快眠シート
２０      快眠シート
３０      快眠シート
【図１】
0003148910.tif 000003
【図２】
0003148910.tif 000004
【図３】
0003148910.tif 000005
【図４】
0003148910.tif 000006
【図５】
0003148910.tif 000007
【図６】
0003148910.tif 000008